(57)【要約】【課題】紙面同士が接触するように整列させたときの紙葉類の紙面の傾きを、簡易な構成で調整可能にする。【解決手段】紙葉類処理装置（紙幣処理装置１）は、紙葉類（紙幣１００）を、その紙面同士が接触するように整列した状態で、内部に収納するよう構成された収納部（紙幣収納カセット２１）を備える。収納部は、紙葉類が通過するよう構成された通過口２１１と、紙葉類が通過口に近い位置から離れる方向に整列するように、通過口から最も離れた紙葉類の紙面に当接する支持面を有すると共に、紙葉類の整列方向に移動をするよう構成された支持部２２と、を備える。支持部は、支持面が動くことによって、整列している紙葉類の紙面の傾きを調整するよう構成されている。【選択図】図５
2017058803.tif 000002
【特許請求の範囲】
【請求項１】
紙葉類を、その紙面同士が接触するように整列した状態で、内部に収納するよう構成された収納部を備える紙葉類処理装置であって、
前記収納部は、
前記収納部の内外を連通すると共に、前記紙葉類が通過するよう構成された通過口と、
前記紙葉類が前記通過口に近い位置から離れる方向に整列するように、前記通過口から最も離れた前記紙葉類の前記紙面に当接する支持面を有すると共に、前記紙葉類の整列方向に移動をするよう構成された支持部と、を備え、
前記支持部は、前記支持面が動くことによって、整列している前記紙葉類の前記紙面の傾きを調整するよう構成されている紙葉類処理装置。
【請求項２】
前記支持面は、前記整列方向に直交した状態から傾くように構成されている請求項１に記載の紙葉類処理装置。
【請求項３】
前記支持面は、その一部分が、前記整列方向に直交した状態から傾くように構成されている請求項２に記載の紙葉類処理装置。
【請求項４】
前記支持部は、前記支持面が、複数に分割されていると共に、少なくとも１つの前記分割された支持面が他の少なくとも１つの前記分割された支持面とは個別に、前記整列方向に移動をするよう構成されている請求項１に記載の紙葉類処理装置。
【請求項５】
前記支持面は、前記紙葉類の長手方向に、又は、前記紙葉類の短手方向に対して、少なくとも２つに分割されている請求項４に記載の紙葉類処理装置。
【請求項６】
前記支持面は、前記紙葉類の長手方向と短手方向とのそれぞれに対して、少なくとも２つに分割されることにより、少なくとも合計４つに分割されている請求項４に記載の紙葉類処理装置。
【請求項７】
整列している前記紙葉類を検知するセンサと、前記センサの検知に基づいて前記支持面を動かす制御部と、をさらに備えている請求項１〜６のいずれか１項に記載の紙葉類処理装置。
【請求項８】
前記センサは、整列している前記紙葉類の内、前記通過口に最も近い前記紙葉類の前記紙面の位置を検知するように、前記整列方向に対して直交する方向に間隔を空けて複数、配設されており、
前記制御部は、前記複数のセンサそれぞれの検知に基づいて、前記通過口に最も近い前記紙葉類の前記紙面の傾きを検出すると共に、検出した前記紙面の傾きに基づいて前記支持面を動かすよう構成されている請求項７に記載の紙葉類処理装置。
【請求項９】
前記センサは、前記通過口の近傍に配設されている請求項７又は請求項８に記載の紙葉類処理装置。
【請求項１０】
前記紙葉類は、前記紙面の一部が凸になっており、
整列している前記紙葉類の向きと枚数とに基づいて前記支持面を動かす制御部をさらに備えている請求項１〜６のいずれか１項に記載の紙葉類処理装置。
【請求項１１】
前記制御部は、整列している前記紙葉類の向きと表裏と枚数とに基づいて前記支持面を動かすよう構成されている請求項１０に記載の紙葉類処理装置。
【請求項１２】
前記紙葉類は、紙幣であり、
前記制御部はさらに、前記紙幣の金種に基づいて前記支持面を動かすよう構成されている請求項１０又は１１に記載の紙葉類処理装置。
【請求項１３】
前記制御部は、整列している前記紙葉類の内、前記通過口に最も近い前記紙葉類の前記紙面の傾きを推定すると共に、推定した前記紙面の傾きに基づいて前記支持面を動かすよう構成されている請求項１０〜１２のいずれか１項に記載の紙葉類処理装置。
【請求項１４】
前記制御部は、整列している前記紙葉類の内、前記通過口に最も近い前記紙葉類の前記紙面が、前記整列方向に対して直交するように、前記支持面を動かすよう構成されている請求項７〜１３のいずれか１項に記載の紙葉類処理装置。
【請求項１５】
前記制御部は、前記紙葉類を収納していないときには、前記支持面を前記整列方向に対して直交させるように構成されている請求項７〜１４のいずれか１項に記載の紙葉類処理装置。
【請求項１６】
紙葉類を、その紙面同士が接触するように整列した状態で、内部に収納するよう構成された紙葉類収納カセットであって、
筐体と、
前記筐体の内外を連通すると共に、前記紙葉類が通過するよう構成された通過口と、
前記紙葉類が前記通過口に近い位置から離れる方向に整列するように、前記通過口から最も離れた前記紙葉類の紙面に当接する支持面を有すると共に、前記紙葉類の整列方向に移動をするよう構成された支持部と、を備え、
前記支持部は、前記支持面が動くことによって、整列している前記紙葉類の前記紙面の傾きを調整するよう構成されている紙葉類収納カセット。
【発明の詳細な説明】
【技術分野】
【０００１】
ここに開示する技術は、紙葉類処理装置、及び、紙葉類収納カセットに関する。
【背景技術】
【０００２】
特許文献１には、紙幣を収納するカートリッジを備えた循環式の紙幣処理装置が記載されている。カートリッジは、ステージの上に、紙幣を上下方向に積み重ねて収納するよう構成されている。
【０００３】
この紙幣処理装置は、偽造防止用のスレッドやホログラム等の識別体を有する紙幣を処理するように構成されている。識別体を有する紙幣は、紙幣の一部分の厚みが、他の部分の厚みよりも分厚くなっている。このような紙幣を、同じ方向で積み重ねると、識別体が同じ位置で重なり合う。その結果、積み重なった上部の紙幣の紙面は傾いてしまう。上部の紙幣の紙面が傾いてしまうと、新たな紙幣を積み重ねるときに集積不良を起こしたり、カートリッジから紙幣を送り出そうとしたときに送り出し不良を起こしたりする虞がある。尚、こうした不都合は、紙幣を上下方向に整列した状態で積み重ねる場合に限らず、紙面同士が接触するように、紙幣を水平方向に整列した状態で並べる場合にも、同様に起こり得る。
【０００４】
特許文献１に記載されている紙幣処理装置は、紙幣の搬送路の途中に、反転部を分岐して設けている。反転部は、カートリッジ内に送り込む紙幣の方向を反転させるよう構成される。搬送中の紙幣の方向が、先行する紙幣の方向と同じときには、当該紙幣を反転部に搬送する。反転部が紙幣の方向を反転させるため、カートリッジに搬送する紙幣の方向が、先行する紙幣の方向と逆になる。搬送中の紙幣の方向が、先行する紙幣の方向と異なるときには、当該紙幣を、反転部をバイパスして、カートリッジに搬送する。紙幣を搬送している最中に、こうした制御を行うことにより、カートリッジ内で積み重なる紙幣は、識別体が同じ位置で連続して重ならない。よって、積み重なった紙幣が傾くことが防止される。
【先行技術文献】
【特許文献】
【０００５】
【特許文献１】特許第３８５６４４１号公報
【発明の概要】
【発明が解決しようとする課題】
【０００６】
ところが、特許文献１に記載されている紙幣処理装置は、紙幣を搬送する搬送路の途中に反転部を設ける必要があるため、紙幣処理装置が大型化してしまう。また、紙幣を搬送している最中に、紙幣の搬送先を切り替えなければならないため、紙幣の搬送制御が複雑化するという不都合がある。
【０００７】
ここに開示する技術は、かかる点に鑑みてなされたものであり、その目的とするところは、紙面同士が接触するように整列させたときの紙葉類の紙面の傾きを、簡易な構成で調整可能にすることにある。
【課題を解決するための手段】
【０００８】
具体的にここに開示する技術は、紙葉類を、その紙面同士が接触するように整列した状態で、内部に収納するよう構成された収納部を備える紙葉類処理装置に係る。
【０００９】
前記収納部は、前記収納部の内外を連通すると共に、前記紙葉類が通過するよう構成された通過口と、前記紙葉類が前記通過口に近い位置から離れる方向に整列するように、前記通過口から最も離れた前記紙葉類の前記紙面に当接する支持面を有すると共に、前記紙葉類の整列方向に移動をするよう構成された支持部と、を備える。
【００１０】
前記支持部は、前記支持面が動くことによって、整列している前記紙葉類の前記紙面の傾きを調整するよう構成されている。
【００１１】
この構成によると、紙葉類処理装置は、収納部に紙葉類を収納する。紙葉類は、紙幣、小切手、手形及び商品券等を含む。但し、紙葉類は、これらに限定されない。紙葉類処理装置は、紙葉類に関する各種の処理を行う。紙葉類の処理としては、例えば紙葉類が紙幣であれば、紙幣の計数処理、紙幣の入金処理、紙幣の出金処理等が例示される。但し、紙葉類の処理は、これらに限定されない。
【００１２】
収納部は、通過口を備えている。紙葉類は、通過口を通過する。具体的に、紙葉類は、通過口を通過して、収納部の外部から内部に送り込まれる、及び／又は、紙葉類は、通過口を通過して、収納部の内部から外部に送り出される。通過口は、１つとは限らない。紙葉類が収納部の外部から内部に送り込まれる通過口と、紙葉類が収納部の内部から外部に送り出される通過口との両方を備えるようにしてもよい。
【００１３】
尚、収納部は、少なくとも紙葉類処理装置が処理をしている最中に、装置の外部に開放されない構成とは限らない。収納部は、紙葉類処理装置が処理をしている最中であっても、装置の外部に開放される構成であってもよい。
【００１４】
収納部は、支持面を有する支持部を備えている。支持部は、紙葉類が、通過口に近い位置から離れる方向に整列をするように、紙葉類を支持する。紙葉類は、上下方向に整列するとしてもよい。つまり、上下方向を向いた紙面同士が上下方向に接触するように、紙葉類が積み重なるようにしてもよい。又は、紙葉類は、水平方向に整列するとしてもよい。つまり、水平方向を向いた紙面同士が水平方向に接触するように、紙葉類が並ぶようにしてもよい。
【００１５】
支持部はまた、整列している紙葉類の紙面の傾きを調整するように、支持面を動かす。ここで、紙面の傾きとは、紙面が整列方向に対して直交する状態からの傾きを意味する。前記の構成では、紙葉類を収納する収納部の内部において、整列している紙葉類の紙面の傾きを調整する。このため、装置が大型化したり、紙葉類の搬送制御が複雑化したりすることが回避される。
【００１６】
前記支持面は、前記整列方向に直交した状態から傾くように構成されている、としてもよい。
【００１７】
支持面が傾くことによって、その支持面によって支持されている紙葉類の紙面の傾きが調整される。
【００１８】
前記支持面は、その全体が傾かなくてもよい。前記支持面は、その一部分が、前記整列方向に直交した状態から傾くように構成されている、としてもよい。
【００１９】
支持面の一部分が傾くと、その支持面によって支持されている紙葉類の一部が整列方向に動くから、紙葉類の紙面の傾きを調整することが可能になる。
【００２０】
前記支持部は、前記支持面が、複数に分割されていると共に、少なくとも１つの前記分割された支持面が他の少なくとも１つの前記分割された支持面とは個別に、前記整列方向に移動をするよう構成されている、としてもよい。
【００２１】
複数の支持面の内の少なくとも１つの支持面の、整列方向の位置がずれると、それら複数の支持面によって支持されている紙葉類の一部が整列方向に動くから、紙葉類の紙面の傾きを調整することが可能になる。
【００２２】
前記支持面は、前記紙葉類の長手方向に、又は、前記紙葉類の短手方向に対して、少なくとも２つに分割されている、としてもよい。こうすることで、紙葉類の長手方向について、紙面の傾きを調整する、又は、短手方向について、紙面の傾きを調整することが可能になる。
【００２３】
前記支持面は、前記紙葉類の長手方向と短手方向とのそれぞれに対して、少なくとも２つに分割されることにより、少なくとも合計４つに分割されている、としてもよい。こうすることで、紙葉類の長手方向、及び、短手方向のそれぞれについて、紙面の傾きを調整することが可能になる。
【００２４】
前記紙葉類処理装置は、整列している前記紙葉類を検知するセンサと、前記センサの検知に基づいて前記支持面を動かす制御部と、をさらに備えている、としてもよい。
【００２５】
こうすることで、センサの検知に基づいて、紙葉類の紙面の傾きを調整することが可能になる。
【００２６】
前記センサは、整列している前記紙葉類の内、前記通過口に最も近い前記紙葉類の前記紙面の位置を検知するように、前記整列方向に対して直交する方向に間隔を空けて複数、配設されており、前記制御部は、前記複数のセンサそれぞれの検知に基づいて、前記通過口に最も近い前記紙葉類の前記紙面の傾きを検出すると共に、検出した前記紙面の傾きに基づいて前記支持面を動かすよう構成されている、としてもよい。ここで、複数のセンサは、整列方向に対しては同じ位置に配置される。
【００２７】
整列方向に対して直交する方向に間隔を空けて配置されている複数のセンサそれぞれの検知に基づいて、通過口に最も近い紙葉類の紙面が傾いていることを検出することが可能になる。つまり、複数のセンサの内のいずれか１のセンサが紙葉類を検知する一方で、他のセンサが紙葉類を検知しないときには、紙葉類の紙面が傾いていることになる。複数のセンサは、紙葉類の長手方向に間隔を空けて配設してもよいし、短手方向に間隔を空けて配設してもよい。また、紙葉類の長手方向及び短手方向のそれぞれに、間隔を空けて配設してもよい。
【００２８】
通過口に最も近い紙葉類の紙面の傾きに基づいて支持面を動かすことにより、支持部に支持されている紙葉類の紙面の傾きが適正になる。
【００２９】
前記センサは、前記通過口の近傍に配設されている、としてもよい。支持面に支持された紙葉類が通過口に近づくように、支持部が整列方向に移動をすると、通過口の近傍に配設されているセンサが、通過口に最も近い紙葉類の紙面の位置を検知する。こうして通過口に最も近い紙葉類の紙面の傾きを、検知することが可能になる。
【００３０】
前記紙葉類は、前記紙面の一部が凸になっており、紙葉類処理装置は、整列している前記紙葉類の向きと枚数とに基づいて前記支持面を動かす制御部をさらに備えている、としてもよい。
【００３１】
ここで、紙面の一部が凸になっていることには、紙面の一部に、偽造防止用のスレッドやホログラムのような識別体が設けられていることが例示される。ホログラムは、紙葉類の端から端までの全体に亘って延びていてもよいし、紙葉類の一部分に設けられていてもよい。また、紙面の一部に点字が設けられていることも、紙面の一部が凸になっていることの一例である。凸は、紙葉類の表面及び裏面のいずれか一方の面において、一部分が他の部分よりも凸になっているとしてもよい。その場合に、紙葉類の他方の面においては、凹凸がないとしてもよい。また、他方の面においては、凸に対応する一部が他の部分よりも凹になっているとしてもよい。さらに、凸は、紙葉類の表面及び裏面の両方において、一部分が他の部分よりも凸になっていてもよい。表面及び裏面の両方において一部が凸になった紙葉類は、例えば、紙素材とポリマー素材とを組み合わせて一枚の紙葉類を構成するような複合材料紙葉類であってもよい。
【００３２】
紙面の一部が凸になっている紙葉類を整列させるときに、紙葉類の向きによって凸の位置が変わる。凸が同じ位置で重なり合う紙葉類の数に差があると、整列している紙葉類の紙面が傾く。紙葉類において凸部分の位置、及び、その凸量（つまり、紙面からの突出量）が予めわかっていて、整列している紙葉類の向きと、その向き毎の紙葉類の枚数がわかれば、重なり合う凸の数の差から、支持部に支持されている紙葉類の、紙面の傾き度合を推定することが可能である。
【００３３】
前記の構成では、整列している前記紙葉類の向きと、その向き毎の紙葉類の枚数とに基づいて、紙葉類の紙面の傾き度合を推定し、その推定結果に応じて、制御部が支持面を動かす。このことで、支持部に支持されている紙葉類の紙面の傾きが適正化する。この構成では、紙面の傾きを調整する上で、紙葉類を検知するセンサを省略することが可能になる。装置構成が、さらに簡略化する。
【００３４】
前記制御部は、整列している前記紙葉類の向きと表裏と枚数とに基づいて前記支持面を動かすよう構成されている、としてもよい。
【００３５】
この構成では、整列している前記紙葉類の向きと、表裏と、枚数とに基づいて、紙葉類の紙面の傾き度合を推定する。その推定結果に基づいて支持面を動かすことにより、支持部に支持されている紙葉類の紙面の傾きが適正化する。
【００３６】
前記紙葉類は、紙幣であり、前記制御部はさらに、前記紙幣の金種に基づいて前記支持面を動かすよう構成されている、としてもよい。
【００３７】
紙幣の金種毎にサイズが異なる、紙幣における凸部の位置が金種毎に異なる、及び／又は、金種毎に凸量が異なる場合には、紙幣の向きと枚数と金種とによって、又は、紙幣の向きと表裏と枚数と金種とによって、支持部に支持されている紙幣の紙面の傾き度合を推定する。このことによって、紙面の傾き度合の推定精度が高まる。
【００３８】
前記制御部は、整列している前記紙葉類の内、前記通過口に最も近い前記紙葉類の前記紙面の傾きを推定すると共に、推定した前記紙面の傾きに基づいて前記支持面を動かすよう構成されている、としてもよい。
【００３９】
こうすることで、支持部によって支持されている紙葉類の紙面の傾きが、適切に調整される。
【００４０】
前記制御部は、整列している前記紙葉類の内、前記通過口に最も近い前記紙葉類の前記紙面が、前記整列方向に対して直交するように、前記支持面を動かすよう構成されている、としてもよい。
【００４１】
こうすることで、新たな紙葉類を整列しようとしたときに、その新たな紙葉類を確実に整列させることが可能になる。又は、整列している紙葉類を送り出そうとしたときに、紙葉類を確実に送り出すことが可能になる。
【００４２】
前記制御部は、前記紙葉類を収納していないときには、前記支持面を前記整列方向に対して直交させるように構成されている、としてもよい。
【００４３】
こうすることで、紙葉類の支持をしていない支持部の初期状態から紙葉類の支持を始めるときに、支持面が整列方向に対して直交しているため、紙葉類を安定して支持することが可能になる。
【００４４】
ここに開示する別の技術は、紙葉類を、その紙面同士が接触するように整列した状態で、内部に収納するよう構成された紙葉類収納カセットに係る。
【００４５】
前記紙葉類収納カセットは、筐体と、前記筐体の内外を連通すると共に、前記紙葉類が通過するよう構成された通過口と、前記紙葉類が前記通過口に近い位置から離れる方向に整列するように、前記通過口から最も離れた前記紙葉類の紙面に当接する支持面を有すると共に、前記紙葉類の整列方向に移動をするよう構成された支持部と、を備える。
【００４６】
そして、前記支持部は、前記支持面が動くことによって、整列している前記紙葉類の前記紙面の傾きを調整するよう構成されている。
【００４７】
この構成により、紙葉類収納カセットの筐体の内部において、収納している紙葉類の紙面の傾きの調整が可能になる。この紙葉類収納カセットと紙葉類処理装置とを組み合わせたときに、紙葉類処理装置の小型化が図られると共に、搬送制御が複雑化することが回避される。
【発明の効果】
【００４８】
以上説明したように、ここに開示する紙葉類処理装置、及び、紙葉類収納カセットによると、紙葉類の紙面の傾きを簡易な構成で、調整可能になる。
【図面の簡単な説明】
【００４９】
【図１】図１は、紙葉類処理装置の構成を概念的に示す図である。
【図２】図２は、紙葉類収納カセットの構成を概念的に示す図である。
【図３】図３は、紙葉類の方向を説明する説明図である。
【図４】図４は、紙面の傾きを調整する前の、紙葉類の整列状態を例示する説明図である。
【図５】図５は、紙面の傾きを調整した後の、紙葉類の整列状態を例示する説明図である。
【図６】図６は、紙葉類処理装置における、紙葉類の紙面の傾き調整に係る制御構成を示すブロック図である。
【図７】図７は、紙葉類の紙面の傾きを調整する制御に係るフローチャートである。
【図８】図８は、図２とは異なる紙葉類収納カセットの構成を概念的に示す図である。
【図９】図９は、図２及び図８とは異なる紙葉類収納カセットの構成を概念的に示す図である。
【図１０】図１０は、図２、図８及び図９とは異なる紙葉類収納カセットの構成を概念的に示す図である。
【図１１】図１１は、水平方向に紙葉類を整列して収納する構成の紙葉類収納カセットの構成を概念的に示す図である。
【発明を実施するための形態】
【００５０】
以下、紙葉類処理装置、及び、紙葉類収納カセットの実施形態を、図面を参照しながら説明する。以下においては、紙葉類処理装置の１つとしての、紙幣処理装置を例として、ここに開示する技術を説明する。尚、以下の説明は、紙葉類処理装置、及び、紙葉類収納カセットの一例である。
【００５１】
（紙幣処理装置の全体構成）
図１は、紙幣処理装置１の構成を示す概念図である。紙幣処理装置１は、銀行等の金融機関の店舗において使用される装置である。紙幣処理装置１は、図１の例では、紙幣の入金処理、及び、出金処理を行う紙幣入出金機である。この紙幣処理装置１は、いわゆる循環式の紙幣入出金機である。つまり、紙幣処理装置１が出金処理時に払い出す紙幣には、入金処理時に、装置内に収納した紙幣が含まれる。尚、紙幣処理装置１は、循環式の紙幣入出金機に限定されない。また、紙幣処理装置１は、紙幣入出金機に限らない。紙幣処理装置１は、紙幣入金機や紙幣出金機等の、紙幣を収納するよう構成された紙幣収納部を備える装置であればよい。紙幣収納部は、取り外し可能な紙幣収納カセットとしてもよい。
【００５２】
紙幣処理装置１は、入金部１１と、出金部１２と、識別部１３と、一時保留部１４と、搬送部１５と、紙幣を収納する収納部２と、を備えている。
【００５３】
入金部１１は、詳細な図示は省略するが、紙幣を入れる入金口を有している。入金口は、紙幣処理装置１の上面に開口している。例えば入金処理の際には、入金口に、紙幣を入れる。入金口は、複数枚の紙幣を一度に保持する。
【００５４】
出金部１２は、紙幣処理装置１の上面に開口する出金口を有している。例えば出金処理の際には、出金口に、紙幣が出てくる。出金口は、複数枚の紙幣を一度に保持する。
【００５５】
識別部１３は、後述する、紙幣の搬送路１５１の途中に設けられている。識別部１３は、搬送路１５１に沿って搬送される紙幣の一枚一枚について、金種及び真偽を少なくとも識別するように構成される。さらに、識別部１３は、紙幣の正損を識別するように構成してもよい。識別部１３は、具体的には、画像センサ、赤外線センサ、紫外線センサ、及び磁気センサ等の紙幣の特徴を取得する各種のセンサを有している。識別部１３は、これらのセンサによって紙幣の特徴を取得すると共に、紙幣の識別を行う。
【００５６】
一時保留部１４は、例えば出金処理時に発生したリジェクト紙幣を一時的に収納する収納部である。また、一時保留部１４は、例えば入金処理時に取り込んだ紙幣を一時的に収納する収納部である。一時保留部１４は、巻き取り方式の収納部である。
【００５７】
収納部２は、図１に示す構成例では、第１〜第５の５つの紙幣収納カセット２１−１〜２１−５と、回収カセット２３と、を有している。尚、以下の説明において、第１〜第５の紙幣収納カセットを総称する場合には、符号「２１」を付し、第１、第２、第３、第４及び第５の紙幣収納カセットを区別するときには、符号「２１−１、２１−２、２１−３、２１−４、２１−５」をそれぞれ付す。第１〜第５の紙幣収納カセット２１−１〜２１−５と、回収カセット２３とはそれぞれ、紙幣処理装置１に対し、着脱可能に取り付けられる。
【００５８】
第１〜第４の紙幣収納カセット２１−１〜２１−４は、紙幣処理装置１の奥行き方向（図１における紙面左右方向）の奥側（紙面左側）から手前側（紙面右側）に向かって順に並んで配設されている。第５の紙幣収納カセット２１−５は、上下方向に延びる接続路を挟んで、第４の紙幣収納カセット２１−４よりもさらに手前側に配設されている。
【００５９】
紙幣収納カセット２１は、その内部に、紙面同士が接触するように、上下方向に整列した状態で、紙幣を収納する。つまり、紙幣収納カセット２１は、紙幣を上下方向に積み重ねた状態で収納する。紙幣収納カセット２１は、内部に送り込まれた紙幣を収納すると共に、収納している紙幣を外部に送り出すことが可能に構成されている。
【００６０】
図２に示すように、紙幣収納カセット２１は、上下方向に細長い形状の筐体２９を有している。筐体２９の上面には、紙幣が通過する通過口２１１が形成されている。筐体２９の内部には、紙幣１００を、整列した状態に支持する支持部２２が設けられている。紙幣１００は、支持部２２の支持面２２１の上に積み重ねられる。筐体２９内における、通過口２１１の近傍には、ローラー２４が配設されている。ローラー２４は、筐体２９内に送り込まれた紙幣を支持面２２１の上に積み重ねると共に、筐体２９内に収納している紙幣を、一枚ずつ外部に送り出す。紙幣収納カセット２１の構成の詳細は、後述する。
【００６１】
尚、第４の紙幣収納カセット２１−４の内部は、図１に示すように、上下に二分割されている。第４の紙幣収納カセット２１−４の上側の空間は、筐体２９の上面に形成された通過口を介して外部につながる。また、第４の紙幣収納カセット２１−４の下側の空間は、筐体２９の側面に形成された通過口を介して外部につながる。第４の紙幣収納カセット２１−４の上側の空間、及び、下側の空間にはそれぞれ、支持部２２及びローラー２４が、個別に設けられる。
【００６２】
回収カセット２３は、第１〜第５の紙幣収納カセット２１−１〜２１−５の下側に配設されている。回収カセット２３は、紙幣処理装置１の奥行き方向に細長い形状を有している。回収カセット２３は、詳細な図示は省略するが、紙面同士が接触するように、水平方向に整列した状態で、紙幣を収納するように構成されている。つまり、回収カセット２３内において、紙幣は、それぞれ立てた状態にされかつ、紙幣処理装置１の奥行き方向に並べられる。この回収カセット２３は、収納している紙幣を送り出すことができないように構成されている。回収カセット２３には、例えば入金処理時に入金口に投入された紙幣の内、紙幣収納カセット２１に収納することができなかった紙幣（例えばオーバーフロー紙幣）等を収納する。
【００６３】
搬送部１５は、ループ状の搬送路１５１を備えている。入金部１１、出金部１２、一時保留部１４、第１〜第５の紙幣収納カセット２１−１〜２１−５、及び回収カセット２３はそれぞれ、接続路を介して搬送路１５１に接続されている。搬送路１５１上で搬送されている紙幣は、選択的に、出金部１２、一時保留部１４、第１〜第５の紙幣収納カセット２１−１〜２１−５、及び、回収カセット２３に搬送される。
【００６４】
前記構成の紙幣処理装置１は、入金処理時には、次のように動作する。すなわち、入金対象の紙幣は、入金口に投入される。入金部１１は、入金口内の紙幣を一枚ずつ送り出す。搬送部１５は、紙幣を識別部１３に搬送する。識別部１３は、紙幣を識別する。搬送部１５は、紙幣を、一時保留部１４に送る。一時保留部１４は、入金された紙幣を一時的に収納する。搬送部１５はまた、識別結果に基づいて、一時保留部１４から所定の紙幣収納カセット２１、又は、回収カセット２３に、紙幣を搬送する。搬送部１５は、紙幣を出金部１２に搬送する場合もある。入金口内の紙幣が全て送り出されると、入金処理が終了する。
【００６５】
前記構成の紙幣処理装置１は、出金処理時には、次のように動作する。すなわち、出金口に払い出す紙幣が、所定の紙幣収納カセット２１から送り出される。搬送部１５は、紙幣を識別部１３に搬送する。識別部１３は、紙幣の識別を行う。搬送部１５は、正常券を、出金口に払い出す。搬送部１５は、リジェクト券を、一時保留部１４に送る。一時保留部１４は、リジェクト券を収納する。指定された金額の紙幣が出金口に払い出されると、出金処理が終了する。搬送部１５はまた、一時保留部１４に収納されたリジェクト券を、所定の紙幣収納カセット２１、又は、回収カセット２３に搬送する。
【００６６】
この紙幣処理装置１の処理対象の紙幣１００は、その紙面の一部が凸になっている。具体的には、図３に概念的に示すように、紙幣１００における所定の箇所に、紙幣の金種を示す点字１０１が設けられている。または、図示は省略するが、紙幣１００の一部に、偽造防止用のスレッドや、ホログラムが設けられている。スレッドは、紙幣１００の、例えば短手方向の端から端まで延びて設けられるものでもよいし、紙幣１００の一部分のみに設けられるものでもよい。
【００６７】
図３の例では、点字１０１は、紙幣１００の表面における左上部に設けられている。点字１０１は、他の部分よりも表面から凸になっている。紙幣１００の裏面には凹凸がないとしてもよい。または、紙幣１００の裏面における点字１０１の箇所は、凹になっていてもよい。また、凸を有する紙幣１００は、紙素材とポリマー素材とを組み合わせた、いわゆる複合材料紙幣であってもよい。複合材料紙幣は、紙幣の表面及び裏面のそれぞれにおいて、その一部が凸になる場合がある。
【００６８】
入金口に投入される紙幣１００の方向は不揃いである。尚、ここでいう方向は、紙幣１００の表裏、及び、上下の向きを含む。よって、搬送路１５１を搬送される紙幣１００の方向も不揃いであり、各紙幣収納カセット２１内で積み重なっている紙幣１００の方向も不揃いである。搬送される紙幣１００の方向、及び、紙幣収納カセット２１に収納されるときの紙幣１００の方向は、紙幣１００の表裏、及び、上下の向きの組み合わせから、図３に示すように、Ａ〜Ｄの４つの方向がある。Ａ方向は、紙幣１００が表でかつ、特定方向（この特定方向は、搬送中であれば紙幣１００の搬送方向に相当する）に従う向きである。尚、以下の説明では、特定方向に従う向きを、便宜上、上向きと呼ぶ。Ｂ方向は、紙幣１００が表でかつ、特定方向に逆らう向きである。尚、以下の説明では、特定方向に逆らう向きを、便宜上、下向きと呼ぶ。Ｃ方向は、紙幣１００が裏でかつ、下向きであり、Ｄ方向は、紙幣１００が裏でかつ、上向きである。
【００６９】
Ａ方向とＢ方向とは、紙幣１００の上下の向きを反転させた関係であり、同様に、Ｃ方向とＤ方向とは、紙幣１００の上下の向きを反転させた関係である。Ａ方向とＣ方向とは、紙幣１００を短手方向に対して、表裏を反転させた関係であり、同様に、Ｂ方向とＤ方向とは、紙幣１００を短手方向に対して、表裏を反転させた関係である。Ａ方向とＤ方向とは、紙幣１００を長手方向に対して、表裏を反転させた関係であり、同様に、Ｂ方向とＣ方向とは、紙幣１００を長手方向に対して、表裏を反転させた関係である。
【００７０】
点字１０１が設けられた紙幣１００を、点字１０１が同じ位置で重なるように紙幣収納カセット２１内で積み重ねると、例えば図４に概念的に示すように、紙幣１００の紙面が傾斜するようになる。特に、通過口２１１に最も近い紙幣、言い換えると、支持部２２から最も離れた最上位の紙幣１００の紙面は、整列方向に直交する状態から大きく傾く。図４における紙面の傾き度合は、長手方向については、一方の端と他方の端との高低差δ１で表される。また、短手方向については、一方の端と他方の端との高低差δ２で表される。尚、紙幣収納カセット２１内に設けたセンサ２６１〜２６４の検知に基づいて支持部２２の高さを調整することによって、最上位の紙幣１００は、紙幣収納カセット２１内における所定の高さ位置（つまり、通過口２１１の近傍）に位置づけられている。
【００７１】
このように紙面が傾いている状態で、新たな紙幣１００を積み重ねようとすると、傾いた最上位の紙幣１００の上を、新たに積み重ねようとする紙幣１００が滑落し、集積不良を起こす場合がある。
【００７２】
また、紙幣収納カセット２１から紙幣１００を送り出すときには、ローラー２４が回転をすることによって、最上位の紙幣１００を紙幣収納カセット２１の外部に送り出すことになる。最上位の紙幣１００の紙面が傾いていると、紙幣に対する２つのローラー２４の押圧力が不均等になって、紙幣１００の送り出し方向が曲がってしまったり、紙幣１００の送り出しができなくなったりする送り出し不良を起こす場合がある。
【００７３】
そこで、この紙幣処理装置１では、紙幣収納カセット２１内で整列している紙幣１００の紙面の傾きを調整するように構成されている。
【００７４】
（紙幣収納カセットの構成）
次に、紙幣収納カセット２１の構成を、図を参照しながら詳細に説明する。図２は、紙幣収納カセット２１の主要な構成を概念的に示している。図２及び図４に示すように、紙幣収納カセット２１の内部には、ローラー２４が配設されている。ローラー２４は、通過口２１１を通過して紙幣収納カセット２１内に送られてきた紙幣１００を、支持部２２に支持されている紙幣１００の上に積み重ねるように送る。また、ローラー２４は、積み重なった最上位の紙幣１００の紙面に当接し、通過口２１１を通じて紙幣収納カセット２１の外に送り出す。ローラー２４は、水平方向に延びる軸に対し、紙幣１００の長手方向に間隔を空けて、図例では２つ配設されている。
【００７５】
紙幣収納カセット２１は、前述したように、支持部２２を有している。支持部２２は、第１、第２、第３及び第４の４つの支持部２２−１、２２−２、２２−３、２２−４に分割されている。つまり、支持部２２の支持面２２１は、紙幣の長手方向に２つに分割されていると共に、紙幣の短手方向に２つに分割されている。尚、以下の説明において、４つの支持部を含んだ支持部全体については、符号「２２」を付し、第１〜第４の個々の支持部については、符号「２２−１、２２−２、２２−３、２２−４」を付す。
【００７６】
図６に示すように、紙幣処理装置１は、第１〜第４の４つの作動部２５１〜２５４を有している。第１〜第４作動部２５１〜２５４は、それぞれが個別に、第１〜第４支持部２２−１〜２２−４を上下方向に移動させる。これにより、４つの支持部２２−１、２２−２、２２−３、２２−４は、独立して上下方向に移動することが可能である。４つの支持部２２−１〜２２−４が上下方向に移動する結果、支持部２２は、図２に仮想的に示すように、紙幣収納カセット２１の内部において上下方向に移動可能になる。尚、第１〜第４支持部２２−１〜２２−４を移動させるための駆動源は、紙幣処理装置１に設けられている。紙幣収納カセット２１を紙幣処理装置１に取り付けることによって、紙幣処理装置１の駆動源から第１〜第４支持部２２−１〜２２−４に、第１〜第４支持部２２−１〜２２−４を上下方向に移動させるための駆動力が伝達される。
【００７７】
第１〜第４支持部２２−１〜２２−４は、上下方向の位置を、互いに同じにすることも、互いに異ならせることも可能である。例えば図２では、第１〜第４支持部２２−１〜２２−４の内、第４支持部２２−４が、第１〜第３支持部２２−１〜２２−３よりも上方に位置している状態を一点鎖線で示している。第１〜第４支持部２２−１〜２２−４の上下方向の位置が同じであると、４つの支持部２２−１〜２２−４の上面によって構成される、支持部２２の支持面２２１が上下方向に対して直交する水平方向になる。第１〜第４支持部２２−１〜２２−４の上下方向の位置が異なると、支持部２２の支持面２２１が傾くことと等価になる。第１〜第４支持部２２−１〜２２−４の上下方向の位置が異なると、図５に例示するように、支持面２２１の上で積み重なっている紙幣１００の紙面の傾きを調整することが可能になる。つまり、積み重なっている紙幣１００のうち、最上位の紙幣１００の紙面を、上下方向に対して直交する水平な状態にすることができる。
【００７８】
紙幣収納カセット２１の内部において、通過口２１１の近傍には、紙幣１００を検知する、４つのセンサ２６１、２６２、２６３、２６４が配設されている。各センサ２６１、２６２、２６３、２６４は、発光部と受光部とが組み合わさった光透過型のセンサである。各センサ２６１、２６２、２６３、２６４は、発光部から照射した光が、紙幣１００によって遮断される（つまり、受光部が受光しない）ことによって、紙幣１００を検知する。
【００７９】
４つのセンサの内、第１及び第２センサ２６１、２６２は、紙幣１００の長手方向に間隔を空けて配置されている。第１及び第２センサ２６１、２６２の光軸は、紙幣１００の短手方向に延びるように設定される。第３及び第４センサ２６３、２６４は、紙幣１００の短手方向に間隔を空けて配設されている。第３及び第４センサ２６３、２６４の光軸は、紙幣１００の長手方向に延びるように設定される。
【００８０】
図２に示すように、第１センサ２６１の光軸と第４センサ２６４の光軸の交点の位置は、第１支持部２２−１に対応し、第２センサ２６２の光軸と第４センサ２６４の光軸の交点の位置は、第２支持部２２−２に対応し、第１センサ２６１の光軸と第３センサ２６３の光軸の交点の位置は、第３支持部２２−３に対応し、第２センサ２６２の光軸と第３センサ２６３の光軸の交点の位置は、第４支持部２２−４に対応している。
【００８１】
第１〜第４センサ２６１〜２６４の検知信号は、後述するように、支持部２２の上で積み重なっている紙幣１００の最上位の位置を、紙幣収納カセット２１内の所定の位置に位置づけつつ、紙幣１００の紙面の傾きを調整する制御に用いられる。また、第１〜第４センサ２６１〜２６４の検知信号は、支持部２２の上で積み重なっている紙幣１００の集積不良が発生していないか否かを判断するときにも利用される。
【００８２】
図６は、紙幣１００の紙面の傾きを調整する制御を行うための構成を示している。前述した第１〜第４作動部２５１〜２５４はそれぞれ、コントローラ３に接続されている。コントローラ３は紙幣処理装置１に設けられている。コントローラ３には、前述した第１〜第４センサ２６１〜２６４が接続されている。第１〜第４センサ２６１〜２６４はそれぞれ、検知信号をコントローラ３に出力する。コントローラ３は、第１〜第４センサ２６１〜２６４の検知信号を受けて、第１〜第４作動部２５１〜２５４の作動を制御する。
【００８３】
次に、図７に示すフローチャートを参照しながら、紙幣収納カセット２１の内部において、紙幣１００の紙面の傾きを調整する制御について説明する。尚、図７に示すフローチャートは、単に、紙幣１００の紙面の傾きを調整する制御を説明するために示すフローチャートであり、実際の制御においては、ステップの順番を入れ替えたり、可能な範囲で複数のステップを並列的に行ったりしてもよい。また、いくつかのステップを省略したり、ステップを追加したりすることも可能である。
【００８４】
図７のフローがスタートするときに、第１〜第４支持部２２−１〜２２−４は、紙幣収納カセット２１の内部における下部に位置している。必要に応じて、第１〜第４支持部２２−１〜２２−４を、紙幣収納カセット２１の下部に移動させる場合もある。このときに、第１〜第４支持部２２−１〜２２−４の上下方向の位置は互いに同じである。従って、支持部２２の支持面２２１は、水平である。支持部２２の支持面２２１には、紙幣１００が積み重なっている。支持部２２の支持面２２１は、水平であるため、積み重なった紙幣１００の紙面は、図４に例示するように、傾く場合がある。尚、第１〜第４センサ２６１〜２６４は全て、紙幣１００を検知していない。
【００８５】
フローがスタートした後のステップＳ１では、コントローラ３は、第１〜第４作動部２５１〜２５４の作動を開始する。それによって、第１〜第４支持部２２−１〜２２−４を上方に移動させる。支持部２２の支持面２２１に積み重なった紙幣１００は、支持部２２と共に上方に移動する。
【００８６】
続くステップＳ２において、第１センサ２６１及び第４センサ２６４が紙幣１００を検知したか否かを判定する。検知したときにはステップＳ３に移行する。検知していないときにはステップＳ４に移行する。
【００８７】
第１センサ２６１の光軸と第４センサ２６４の光軸との交点位置は、第１支持部２２−１に対応する。ステップＳ３では、第１作動部２５１を停止する。これにより、第１支持部２２−１の上昇が停止する。
【００８８】
ステップＳ４では、第２センサ２６２及び第４センサ２６４が紙幣１００を検知したか否かを判定する。検知したときにはステップＳ５に移行する。検知していないときにはステップＳ６に移行する。
【００８９】
第２センサ２６２の光軸と第４センサ２６４の光軸との交点位置は、第２支持部２２−２に対応する。ステップＳ５では、第２作動部２５２を停止する。これにより、第２支持部２２−２の上昇が停止する。
【００９０】
ステップＳ６では、第１センサ２６１及び第３センサ２６３が紙幣１００を検知したか否かを判定する。検知したときにはステップＳ７に移行する。検知していないときにはステップＳ８に移行する。
【００９１】
第１センサ２６１の光軸と第３センサ２６３の光軸との交点位置は、第３支持部２２−３に対応する。ステップＳ７では、第３作動部２５３を停止する。これにより、第３支持部２２−３の上昇が停止する。  
【００９２】
ステップＳ８では、第２センサ２６２及び第３センサ２６３が紙幣１００を検知したか否かを判定する。検知したときにはステップＳ９に移行する。検知していないときにはステップＳ１０に移行する。
【００９３】
第２センサ２６２の光軸と第３センサ２６３の光軸との交点位置は、第４支持部２２−４に対応する。ステップＳ９では、第４作動部２５４を停止する。これにより、第４支持部２２−４の上昇が停止する。
【００９４】
ステップＳ１０では、第１〜第４作動部２５１〜２５４が全て停止したか否かを判定する。停止していないときには、ステップＳ２に戻り、ステップＳ２、Ｓ４、Ｓ６及びＳ８の判定を繰り返す。第１〜第４作動部２５１〜２５４の全てが停止したときには、フローを終了する。このフローによって、最上位の紙幣１００の紙面が上下方向に対して直交するように、紙面の傾きが調整される。
【００９５】
次に、図４及び図５を参照しながら、前記のフローに従って紙幣１００の紙面の傾きを調整する制御について、具体的に説明をする。図４は、紙幣収納カセット２１の内部において、紙幣１００の紙面の傾きを調整する前の状態を示している。同図に示すように、紙幣１００の方向が揃っているため、点字１０１が同じ位置で重なり合っているとする。その結果、支持部２２に支持されている紙幣１００の内、最上位の紙幣１００の紙面は、長手方向については、図４の左図に示すように、図４における左側が相対的に高くなり、右側が相対的に低くなるように傾いている。また、最上位の紙幣１００の紙面は、短手方向については、図４の右図に示すように、図４における左側が相対的に高くなり、右側が相対的に低くなるように傾いている。
【００９６】
前述の通りステップＳ１において、第１〜第４作動部２５１〜２５４が同時に作動をすることにより、第１〜第４支持部２２−１〜２２−４が上昇をすると、最上位の紙幣１００の紙面において相対的に高くなっている箇所が先ず、センサ２６１〜２６４によって検知される。図４の例では、第１センサ２６１及び第３センサ２６３が紙幣を検知している。これにより、先ず、第３作動部２５３が停止をする（ステップＳ６及びＳ７）。これにより第３支持部２２−３の上昇が停止する。残りの第１、第２及び第４支持部２２−１、２２−２、２２−４は上昇を継続する。
【００９７】
その後、第１〜第４センサ２６１〜２６４の検知に従って、第１、第２及び第４作動部２５１、２５２、２５４がそれぞれ停止をする。その結果、図５に例示するように、第２支持部２２−２が、第３支持部２２−３よりも上方に位置することで、最上位の紙幣１００、言い換えると通過口２１１に最も近い紙幣１００の紙面がほぼ水平になるように、その傾きが調整される。
【００９８】
こうして、最上位の紙幣１００の紙面が水平になると、新たな紙幣１００が通過口２１１を通じて、紙幣収納カセット２１内に送り込まれたときに、その新たな紙幣１００を、支障なく確実に積み重ねることが可能になる。また、最上位の紙幣１００の紙面に当接する、２つのローラー２４、２４の押圧力が均等になるため、積み重なっている紙幣１００を送り出すときに、支障なく確実に送り出すことが可能になる。
【００９９】
ここで、紙幣収納カセット２１内に紙幣１００を収納していない初期状態においては、第１〜第４支持部２２−１〜２２−４は、上下方向に対して互いに同じ位置に位置している。つまり、支持部２２の支持面２２１は水平となる。これにより、紙幣１００の収納を開始するときには、水平な支持面２２１の上に紙幣１００を積み重ねることになるため、紙幣１００を確実に積み重ねることが可能になる。例えば第１〜第４支持部２２−１〜２２−４の位置がずれていると、それらの支持部の間の隙間に紙幣１００が入り込んでしまう虞もあるが、初期状態において第１〜第４支持部２２−１〜２２−４を同じ位置にすることで、個々の支持部と支持部との隙間に紙幣１００が入り込むことを防止することが可能になる。
【０１００】
（変形例）
前述した紙幣収納カセット２１では、支持部２２を４つに分割している。支持部２２の分割数は、４つに限定されない。例えば図８に例示するように、支持部２２を２つに分割してもよい。図８の例では、紙幣１００の長手方向に支持部２２を二分割しているが、紙幣１００の短手方向に、支持部２２を２つに分割してもよい。支持部２２は、長手方向に三分割以上に分割してもよい。また、支持部２２は、短手方向に、三分割以上に分割してもよい。
【０１０１】
支持部２２を二分割する場合は、センサの数を減らすことが可能になる。図８に示すように、紙幣１００の長手方向に支持部２２を二分割する構成では、同じく紙幣１００の長手方向に間隔を開けて、第１及び第２の２つのセンサ２６１、２６２を配置すればよい。図７のフローチャートと同様に、２つの支持部２２を共に上昇させると共に、第１及び第２センサ２６１、２６２の検知に従って、２つの支持部２２の上昇をそれぞれ停止させれば、長手方向について、紙幣１００の紙面の傾きを調整することが可能になる。紙幣１００の短手方向に支持部２２を二分割する構成では、紙幣１００の短手方向に間隔を開けて、２つのセンサを配置すればよい。同様に、２つのセンサの検知に従って、短手方向に分割された２つの支持部の上昇をそれぞれ停止させれば、短手方向について、紙幣１００の紙面の傾きを調整することが可能になる。
【０１０２】
また、支持部２２を複数に分割するのではなく、図９に示すように、支持部２２の支持面２２１が、水平の状態から傾くように構成してもよい。つまり、図９では、支持部２２の奥側の隅部が、手前側の隅部よりも高い位置となるように、支持面２２１が傾いている状態を一点鎖線で示している。支持面２２１は、紙幣１００の長手方向及び短手方向のそれぞれに対して傾くようにすればよい。こうすることでも、支持部２２を分割する構成と同様に、支持面２２１上に積み重なった紙幣１００の紙面の傾きを調整することが可能になる。支持面２２１の傾きは、紙幣収納カセット２１内に配設した、第１〜第４センサ２６１〜２６４の検知に基づいて調整をすればよい。
【０１０３】
尚、支持面２２１を、紙幣１００の長手方向に対してのみ傾くように構成してもよいし、短手方向に対してのみ傾くように構成してもよい。
【０１０４】
さらに、支持部２２の支持面２２１の全体が傾くように構成するのではなく、図１０に示すように、支持部２２の支持面２２１の一部が傾くように構成してもよい。同図に示す支持部２２は、その四隅の部分２２３が支持部２２の本体とは別体であると共に、当該部分２２３が支持部２２の本体に対してヒンジ結合されている。四隅の部分２２３はそれぞれ、支持部２２の本体に対し、長手方向の内方に向かって持ち上がるように傾くことが可能である。四隅の部分２２３が個別に傾くことにより、支持部２２の支持面２２１の上に積み重なった紙幣１００の隅部を、個別に持ち上げることが可能になる。その結果、支持面２２１上に積み重なった紙幣１００の紙面の傾きを調整することが可能になる。
【０１０５】
尚、支持部２２の四隅それぞれが傾くように構成する他に、支持部２２における長手方向の両側の部分がそれぞれ、支持部２２の本体に対し個別に傾くように構成してもよいし、支持部２２における短手方向の両側の部分がそれぞれ、支持部２２の本体に対し個別に傾くように構成してもよい。また、支持部２２を長手方向に、又は、短手方向に二分割すると共に、分割した２つの支持部２２をヒンジ結合によって互いに接続するように構成してもよい。そうして、分割した２つの支持部２２の内の一方が、他方に対し相対的に傾くように構成してもよい。
【０１０６】
加えて、紙幣収納カセットの内部において紙幣の紙面の傾きを調整する構成は、上下方向に紙幣を積み重ねる紙幣収納カセット２１に適用するだけでなく、図１１に例示するように、紙幣１００を水平方向に並べる構成の紙幣収納カセット２１０に適用することも可能である。図１１に示す紙幣収納カセット２１０は、筐体２９０の側面に、紙幣１００が通過する通過口２１０１が設けられる。紙幣１００は、紙幣収納カセット２１０の内部において、長手の縁を下にして立てた状態で、通過口２１０１に近い位置から離れる方向に、水平方向に並んで収納される。支持部２２０は、通過口２１０１から最も離れた紙幣１００に当接する支持面２２０１を有し、水平方向に整列した状態に、紙幣１００を支持する。
【０１０７】
図１１に例示する紙幣収納カセット２１０では、支持部２２０を、紙幣１００の長手方向及び短手方向のそれぞれについて２つに分割している。つまり、支持部２２０は、第１、第２、第３及び第４の４つの支持部２２０−１、２２０−２、２２０−３、２２０−４に分割されている。４つの支持部２２０−１、２２０−２、２２０−３、２２０−４は、独立して、水平方向に移動をする。これにより、前述した構成と同様に、紙幣１００の紙面の傾きが調整可能になる。尚、図示は省略するが、支持部２２０の分割数は、４つに限らず、２つでもよい。支持部２２０を二分割する構成においては、支持部２２０を、紙幣１００の長手方向に二分割してもよいし、短手方向に二分割してもよい。また、支持部２２０を、紙幣１００の長手方向に対して、３つ以上に分割してもよいし、短手方向に対して、３つ以上に分割してもよい。
【０１０８】
前記の構成では、紙幣収納カセット２１の内部に設けたセンサ２６１〜２６４の交点が、４分割された支持部２２０のそれぞれに対応している。これとは異なり、紙幣収納カセット２１の四隅を横切るように、４個のセンサを個別に設けてもよい。また、紙幣収納カセット２１の上部から支持部２２０に向けて、測距センサを設けてもよい。この場合も、支持部２２０の上に集積された紙幣１００の紙面を四分割したそれぞれの箇所に対応するように、４個の測距センサを設けてもよい。
【０１０９】
前記の構成では、紙幣収納カセット２１の内部に設けたセンサ２６１〜２６４の検知に基づいて、支持部２２を移動することにより、紙幣１００の紙面の傾きを調整している。これとは異なり、紙幣収納カセット２１内で積み重なった紙幣１００の紙面の傾き度合を、紙幣１００の向きと、表裏と、枚数とに基づいて推定し、その推定結果に基づいて、支持部２２を移動するようにしてもよい。
【０１１０】
先ず、紙幣１００における点字１０１の位置及び点字１０１の凸量（つまり、紙面からの突出量Ｔ［ｍｍ］、図３参照）は、予めわかっているとする。紙幣収納カセット２１内で積み重なった紙幣１００のＡ〜Ｄの各方向と、そのＡ〜Ｄ方向毎の枚数は、識別部１３の識別結果からわかる。
【０１１１】
図３に示すように、Ａ方向の紙幣１００とＣ方向の紙幣１００とは、積み重なったときに、長手方向の左寄りに点字１０１が位置する。Ｂ方向の紙幣１００とＤ方向の紙幣１００とは、積み重なったときに、長手方向の右寄りに点字１０１が位置する。従って、紙幣収納カセット２１内で積み重なっている紙幣１００について、長手方向に対する紙面の傾き度合δ１（図４参照）は、Ａ方向の紙幣１００の枚数ＮＡ、及び、Ｃ方向の紙幣１００の枚数ＮＣの合計（ＮＡ＋ＮＣ）と、Ｂ方向の紙幣１００の枚数ＮＢ、及び、Ｄ方向の紙幣１００の枚数ＮＤの合計（ＮＢ＋ＮＤ）との差、つまり、δ１＝ＡＢＳ（（ＮＡ＋ＮＣ）−（ＮＢ＋ＮＤ））×Ｔ［ｍｍ］から推定可能である。コントローラ３は、このδ１を相殺するように、第１〜第４支持部２２−１〜２２−４、２２０−１〜２２０−４の位置を調整する。
【０１１２】
短手方向については、図３に示すように、Ａ方向の紙幣１００とＤ方向の紙幣１００とは、積み重なったときに、短手方向の上寄りに点字１０１が位置する。Ｂ方向の紙幣１００とＣ方向の紙幣１００とは、積み重なったときに、短手方向の下寄りに点字１０１が位置する。従って、短手方向に対する紙面の傾き度合δ２は、Ａ方向の紙幣１００の枚数ＮＡ、及び、Ｄ方向の紙幣１００の枚数ＮＤの合計（ＮＡ＋ＮＤ）と、Ｂ方向の紙幣１００の枚数（ＮＢ）、及び、Ｃ方向の紙幣１００の枚数（ＮＣ）の合計（ＮＢ＋ＮＣ）との差、つまり、δ２＝ＡＢＳ（（ＮＡ＋ＮＤ）−（ＮＢ＋ＮＣ））×Ｔ［ｍｍ］から推定可能である。コントローラ３は、このδ２を相殺するように、第１〜第４支持部２２−１〜２２−４、２２０−１〜２２０−４の位置を調整する。
【０１１３】
このように、紙幣１００の向きと表裏と枚数とに基づいて、支持部２２の移動を制御することによっても、紙幣１００の紙面の傾きを調整することが可能になる。この構成では、傾きを調整する上では、センサは不要である。
【０１１４】
尚、ここでは、紙幣１００の長手方向、及び、短手方向のそれぞれについて、紙面の傾きを推定すると共に、紙幣１００の長手方向、及び、短手方向のそれぞれについて、紙面の傾きを調整している。これとは異なり、例えば長手方向についてのみ、紙面の傾きを推定すると共に、長手方向についてのみ、紙面の傾きを調整してもよい。
【０１１５】
例えばスレッドが設けられた紙幣１００が処理対象であるときには、当該スレッドは、紙幣１００の短手方向の端から端まで延びると共に、長手方向の一方寄りに設けられる。従って、短手方向についての紙面の傾きを考慮する必要がない。この場合は、長手方向についてのみ、紙面の傾きを推定すると共に、長手方向についてのみ、紙面の傾きを調整すればよい。スレッドに限らず、短手方向の端から端までホログラムが設けられた紙幣１００も同様に、長手方向についてのみ、紙面の傾きを推定すると共に、長手方向についてのみ、紙面の傾きを調整すればよい。また、ポリマー部分が短手方向の端から端までホログラムが設けられた、紙素材とポリマー素材とからなる複合材料紙幣１００も、長手方向についてのみ、紙面の傾きを推定すると共に、長手方向についてのみ、紙面の傾きを調整すればよい。
【０１１６】
尚、短手方向についてのみ、紙面の傾きを推定すると共に、短手方向についてのみ、紙面の傾きを調整してもよい。
【０１１７】
処理対象の紙幣１００に設けられた凸の位置によっては、紙幣１００の向きと枚数とに基づいて、紙幣１００の紙面の傾きを推定すると共に、紙幣１００の紙面の傾きを調整することも可能である。
【０１１８】
また、紙幣１００の金種によって、紙幣１００のサイズが異なる、凸の位置が異なる、及び／又は、凸量が異なるような場合は、紙幣１００の向き、枚数、及び、金種を考慮して、又は、紙幣１００の向き、表裏、枚数、及び金種を考慮して、紙幣１００の紙面の傾きを推定すればよい。
【０１１９】
尚、前述した各構成は、可能な範囲で、任意に組み合わせることが可能である。
【０１２０】
（まとめ）
以上説明したように、ここに開示する紙葉類処理装置（つまり、紙幣処理装置１）は、紙幣１００を、その紙面同士が接触するように整列した状態で、内部に収納するよう構成された収納部（つまり、紙幣収納カセット２１、２１０）を備える。
【０１２１】
紙幣収納カセット２１、２１０は、紙幣収納カセット２１、２１０の内外を連通すると共に、紙幣１００が通過するよう構成された通過口２１１、２１０１と、紙幣１００が通過口２１１、２１０１に近い位置から離れる方向に整列するように、通過口２１１、２１０１から最も離れた紙幣１００の紙面に当接する支持面２２１、２２０１を有すると共に、紙幣１００の整列方向に移動をするよう構成された支持部２２、２２０と、を備える。
【０１２２】
そして、支持部２２、２２０は、支持面２２１、２２０１が動くことによって、整列している紙幣１００の紙面の傾きを調整するよう構成されている。
【０１２３】
これにより、紙幣収納カセット２１、２１０の内部において、簡易な構成で紙幣１００の紙面の傾きを調整することが可能になる。紙幣処理装置１が大型化したり、紙幣１００の搬送制御が複雑化したりすることが回避される。
【０１２４】
支持面２２１、２２０１は、整列方向に直交した状態に対して傾くように構成されている（図９参照）ことによって、紙幣１００の紙面の傾きが調整可能になる。
【０１２５】
支持面２２１は、その一部分が、整列方向に直交した状態から傾くように構成する（図１０参照）ことによっても、紙幣１００の紙面の傾きが調整可能になる。
【０１２６】
支持部２２、２２０は、支持面２２１、２２０１が、複数に分割されていると共に、分割された各支持面２２１、２２０１が個別に、整列方向に移動をするよう構成されている（図２、図８又は図１１参照）ことにより、紙幣１００の紙面の傾きを調整することが可能になる。
【０１２７】
整列している紙幣１００を検知するセンサ２６１〜２６４と、センサ２６１〜２６４の検知に基づいて支持面２２１、２２０１を動かす制御部（つまり、コントローラ３）と、をさらに備えるようにすることで、精度よく、紙幣１００の紙面の傾きを調整することが可能になる。
【０１２８】
センサ２６１〜２６４は、整列している紙幣１００の内、通過口２１１、２１０１に最も近い紙幣１００の紙面の位置を検知するように、整列方向に対して直交する方向に間隔を空けて複数、配設されており（図２、８、９、又は１０）、コントローラ３は、支持部２２、２２０が、整列している紙幣１００を整列方向に移動させたときの、複数のセンサ２６１〜２６４それぞれの検知に基づいて、通過口２１１、２１０１に最も近い紙幣１００の紙面の傾きを検出すると共に、検出した紙面の傾きに基づいて支持面２２１、２２０１を動かす。これにより、支持部２２、２２０に支持されている紙幣１００の紙面の傾きが適正化する。
【０１２９】
センサ２６１〜２６４の検知でなく、整列している紙幣１００の向きと枚数とに基づいて、また、整列している紙幣１００の向きと表裏と枚数とに基づいて、支持面２２１、２２０１を動かすことにより、紙幣１００の紙面の傾きを適切に調整することが可能になる。
【０１３０】
さらに、紙幣１００の金種に基づいて支持面２２１、２２０１を動かすよう構成すれば、傾きの推定精度が、さらに向上する。従って、紙面の傾きを調整する精度も向上する。
【０１３１】
コントローラ３は、整列している紙幣１００の内、通過口２１１、２１０１に最も近い紙幣１００の紙面の傾きを推定すると共に、推定した紙面の傾きに基づいて支持面２２１、２２０１を動かすよう構成されている。
【０１３２】
こうすることで、支持部２２によって支持されている紙幣１００の紙面の傾きを、適切に調整することができる。
【０１３３】
コントローラ３は、整列している紙幣１００の内、通過口２１１に最も近い紙幣１００の紙面が、整列方向に対して直交するように、支持面２２１、２２０１を動かすことによって、新たな紙幣１００を整列させようとしたときに、その新たな紙幣１００を確実に整列させることが可能になる。又は、整列している紙幣１００を、そこから送り出そうとしたときに、紙幣１００を確実に送り出すことが可能になる。
【０１３４】
紙幣１００を収納していないときには、支持面２２１、２２０１を整列方向に対して直交させることにより、紙幣１００の支持を始めるときに、安定して支持をすることができる。
【０１３５】
また、ここに開示する紙幣収納カセット２１、２１０は、紙幣１００を、その紙面同士が接触するように整列した状態で、内部に収納するよう構成される。
【０１３６】
紙幣収納カセット２１、２１０は、筐体２９、２９０と、筐体２９、２９０の内外を連通すると共に、紙幣１００が通過するよう構成された通過口２１１、２１０１と、紙幣１００が通過口２１１、２１０１に近い位置から離れる方向に整列するように、通過口２１１、２１０１から最も離れた紙幣１００の紙面に当接する支持面を有すると共に、紙幣１００の整列方向に移動をするよう構成された支持部２２、２２０と、を備える。
【０１３７】
そして、支持部２２、２２０は、支持面２２１、２２０１が動くことによって、整列している紙幣１００の紙面の傾きを調整するよう構成されている。
【０１３８】
これにより、紙幣収納カセット２１、２１０の筐体２９、２９０の内部において、収納している紙幣１００の紙面の傾きの調整が可能になる。この紙幣収納カセット２１、２１０と紙幣処理装置１とを組み合わせたときに、紙幣処理装置１の小型化が図られると共に、紙幣１００の搬送制御が複雑化することが回避される。
【０１３９】
尚、ここに開示する紙葉類処理装置、及び、紙葉類収納カセットは、紙幣の処理を行う装置、及び、紙幣を収納するカセットに限定されない。処理対象又は収納対象としての紙葉類には、小切手、手形及び商品券等が含まれる。
【符号の説明】
【０１４０】
１  紙幣処理装置（紙葉類処理装置）
２１  紙幣収納カセット（紙葉類収納カセット）
２１０  紙幣収納カセット（紙葉類収納カセット）
２１１  通過口
２１０１  通過口
２２  支持部
２２１  支持面
２２０  支持部
２２０１  支持面
２６１  第１センサ
２６２  第２センサ
２６３  第３センサ
２６４  第４センサ
２９  筐体
２９０  筐体
３  コントローラ（制御部）
【図１】
2017058803.tif 000003
【図２】
2017058803.tif 000004
【図３】
2017058803.tif 000005
【図４】
2017058803.tif 000006
【図５】
2017058803.tif 000007
【図６】
2017058803.tif 000008
【図７】
2017058803.tif 000009
【図８】
2017058803.tif 000010
【図９】
2017058803.tif 000011
【図１０】
2017058803.tif 000012
【図１１】
2017058803.tif 000013